(57)【要約】【課題】自動洗浄装置を備える浴室において、浴室の自動洗浄に要する時間を短縮する。【解決手段】浴室は、介護施設に設置される。この浴室は、浴槽と、浴室の自動洗浄装置とを備える。自動洗浄装置は、少なくとも１つのノズルと、排水口と、制御機とを含む。ノズルは、浴槽の框上面よりも高い位置に設けられている。排水口は、浴槽の底面に設けられている。制御機は、排水口の開閉を制御するように構成されている。そして、制御機は、排水口を開放状態に制御した後に、浴槽内の湯がなくなる前に、ノズルに洗浄水の散布を開始させるように構成されている。【選択図】図１
2019041816.tif 000002
【特許請求の範囲】
【請求項１】
介護施設に設置される浴室であって、
浴槽と、
前記浴室の自動洗浄装置とを備え、
前記自動洗浄装置は、
前記浴槽の框上面よりも高い位置に設けられた少なくとも１つのノズルと、
前記浴槽の底面に設けられた排水口と、
前記排水口の開閉を制御するように構成された制御機とを含み、
前記制御機は、前記排水口を開放状態に制御した後に、前記浴槽内の湯がなくなる前に、前記ノズルに洗浄水の散布を開始させるように構成されている、浴室。
【請求項２】
前記浴槽に隣接して設けられた洗い場と、
前記浴槽及び前記洗い場を囲む壁面とをさらに備え、
前記少なくとも１つのノズルによる前記洗浄水の散布は、前記浴槽、前記洗い場及び前記壁面に向かって行なわれる、請求項１に記載の浴室。
【請求項３】
前記少なくとも１つのノズルは、前記浴室の天井であって、前記浴室の平面視において前記浴槽と重なる位置に設けられた第１ノズルを含む、請求項２に記載の浴室。
【請求項４】
前記少なくとも１つのノズルは、前記浴室の天井であって、前記浴室の平面視において前記洗い場と重なる位置に設けられた第２ノズルを含む、請求項２又は請求項３に記載の浴室。
【請求項５】
前記洗浄水は、洗剤水及び濯ぎ水を含み、
前記制御機は、前記ノズルに、前記濯ぎ水を前記洗剤水よりも広範囲に散布させるように構成されている、請求項１から請求項４のいずれか１項に記載の浴室。
【請求項６】
前記制御機は、前記ノズルに、消毒薬を散布させるように構成されている、請求項１から請求項５のいずれか１項に記載の浴室。
【請求項７】
前記浴室からの人の退室を検知するように構成されたセンサをさらに備え、
前記制御機は、前記センサによって前記退室が検知されるのに応じて、前記排水口を開放状態に制御するように構成されている、請求項１から請求項６のいずれか１項に記載の浴室。
【発明の詳細な説明】
【技術分野】
【０００１】
本発明は、浴室に関する。
【背景技術】
【０００２】
特開平１０−３１４０５８号公報（特許文献１）は、浴槽の自動洗浄装置が設けられた浴室を開示する。この浴室は、一般的な住宅に設置される（特許文献１参照）。
【先行技術文献】
【特許文献】
【０００３】
【特許文献１】特開平１０−３１４０５８号公報
【発明の概要】
【発明が解決しようとする課題】
【０００４】
上記特許文献１に開示されるような家庭用の浴室においては、たとえば、家族全員が入浴を済ませた後に浴槽の自動洗浄を行なうことが想定されており、洗浄時間の短縮が必要以上には求められていない。
【０００５】
一方、介護施設（たとえば、高齢者介護施設）のような様々な人々が同居する施設の一部においては、衛生面を考慮して、入浴者が変わるたびに浴室の洗浄及び湯の入れ替えが行なわれる。入浴者が変わるたびに浴室の洗浄を行う場合に、浴室の洗浄に長時間を要すると、施設における多数の要介護者の入浴が困難になる。
【０００６】
本発明は、このような問題を解決するためになされたものであって、その目的は、自動洗浄装置を備える浴室において、浴室の自動洗浄に要する時間を短縮することである。
【課題を解決するための手段】
【０００７】
本発明に従う浴室は、介護施設に設置される。この浴室は、浴槽と、浴室の自動洗浄装置とを備える。自動洗浄装置は、少なくとも１つのノズルと、排水口と、制御機とを含む。ノズルは、浴槽の框上面よりも高い位置に設けられている。排水口は、浴槽の底面に設けられている。制御機は、排水口の開閉を制御するように構成されている。そして、制御機は、排水口を開放状態に制御した後に、浴槽内の湯がなくなる前に、ノズルに洗浄水の散布を開始させるように構成されている。
【０００８】
たとえば、浴槽においては、内壁面のうち、人が入っていない状態の水位と人が入った状態の水位との間の領域が最も汚れやすい。該領域は、浴槽に貯まった湯の排水途中であっても外部に露出しているため、湯の排水途中であっても洗浄可能である。この浴室においては、浴槽に貯まった湯の排水途中に洗浄水の散布が開始される。したがって、この浴室によれば、たとえば、浴槽に貯まった湯の排水完了後に洗浄水の散布を開始する場合と比較して、浴室の自動洗浄を短時間で完了することができる。
【０００９】
好ましくは、上記浴室は、洗い場と、壁面とをさらに備える。洗い場は、浴槽に隣接して設けられている。壁面は、浴槽及び洗い場を囲む。少なくとも１つのノズルによる洗浄水の散布は、浴槽、洗い場及び壁面に向かって行なわれる。
【００１０】
この浴室においては、洗浄水が浴槽、洗い場及び壁面に向かって散布される。したがって、この浴室によれば、浴槽だけでなく、洗い場及び壁面を含む浴室全体を十分に洗浄することができる。
【００１１】
さらに好ましくは、上記浴室において、少なくとも１つのノズルは、浴室の天井であって、浴室の平面視において浴槽と重なる位置に設けられた第１ノズルを含んでいる。
【００１２】
この浴室においては、浴槽の真上に第１ノズルが設けられている。したがって、この浴室によれば、浴槽が第１ノズルの射程に十分含まれるため、浴槽を十分に洗浄することができる。
【００１３】
さらに好ましくは、上記浴室において、少なくとも１つのノズルは、浴室の天井であって、浴室の平面視において洗い場と重なる位置に設けられた第２ノズルを含んでいる。
【００１４】
この浴室においては、洗い場の真上に第２ノズルが設けられている。したがって、この浴室によれば、洗い場が第２ノズルの射程に十分含まれるため、洗い場を十分に洗浄することができる。
【００１５】
好ましくは、上記浴室において、洗浄水は、洗剤水及び濯ぎ水を含む。制御機は、ノズルに、濯ぎ水を洗剤水よりも広範囲に散布させるように構成されている。
【００１６】
この浴室においては、濯ぎ水が洗剤水よりも広範囲に散布される。したがって、この浴室によれば、濯ぎ水によって洗浄水を十分に流すことができる。
【００１７】
好ましくは、上記浴室において、制御機は、ノズルに、消毒薬を散布させるように構成されている。
【００１８】
この浴室においては、消毒薬が散布される。したがって、この浴室によれば、浴室の洗浄に加えて、浴室の消毒も行なうことができる。
【００１９】
好ましくは、上記浴室は、センサをさらに備える。センサは、浴室からの人の退室を検知するように構成されている。制御機は、センサによって人の退室が検知されるのに応じて、排水口を開放状態に制御するように構成されている。
【００２０】
この浴室においては、人の退室が検知されると、浴室の洗浄が自動的に開始される。したがって、この浴室によれば、特に作業者が浴室洗浄の指示をしなくても、自動的に浴室洗浄を開始することができる。
【発明の効果】
【００２１】
本発明によれば、自動洗浄装置を備える浴室において、浴室の自動洗浄に要する時間を短縮することができる。
【図面の簡単な説明】
【００２２】
【図１】実施の形態１に従う浴室を含む風呂システムの概略構成を示す図である。
【図２】浴室を上方から見た図である。
【図３】風呂システムにおける自動洗浄の流れを示すフローチャートである。
【図４】高齢者介護施設における介護作業者の作業及び風呂システムの動作を示すタイムチャートである。
【図５】実施の形態２に従う浴室の内部を示す図である。
【発明を実施するための形態】
【００２３】
以下、本発明の実施の形態について、図面を参照しながら詳細に説明する。なお、図中同一又は相当部分には同一符号を付してその説明は繰り返さない。
【００２４】
［１．実施の形態１］
（１−１．風呂システムの構成）
図１は、本実施の形態１に従う浴室を含む風呂システムの概略構成を示す図である。この風呂システムは、主に高齢者介護施設のような様々な人々が同居する施設の内部に設置され、共用される。なお、図１においては、配管の一部が省略されている。
【００２５】
図１に示されるように、風呂システム１は、浴槽１００、ノズル１４０及び制御機２００等を含む浴室１０と、リモコン４００とを備えている。詳細については後述するが、風呂システム１においては、制御機２００に含まれるポンプによって洗浄水がノズル１４０に供給される。風呂システム１においては、制御機２００がリモコン４００から制御信号を受信して各種制御を実行することによって、浴室１０の洗浄が自動的に行なわれる。
【００２６】
浴室１０は、浴槽１００と、洗い場１５０と、壁面１６０と、照明１６５と、手摺り１６６と、ノズル１４０と、制御機２００とを含んでいる。浴室１０は、壁パネル、天井パネル及び防水パン等から構成されるユニット室である。浴槽１００には、蛇口１１０と、洗剤タンク１２０と、排水口１３０とが設けられている。
【００２７】
蛇口１１０は、制御機２００から湯の供給を受けて、浴槽１００に湯をはるように構成されている。蛇口１１０は、浴槽１００の框上面に設けられている。そして、蛇口１１０の吐水口は、浴槽１００のあふれ面よりも上方に設けられている。したがって、風呂システム１においては、蛇口１１０から湯が制御機２００側に逆流することがないため、蛇口１１０からの湯の逆流を防止するための逆流防止タンクを設ける必要がない。
【００２８】
洗剤タンク１２０は、浴室１０の洗浄時に使用される液状の洗剤を貯えるように構成されている。詳細については後述するが、洗剤タンク１２０に貯えられた洗剤は、制御機２００を経由してノズル１４０に供給される。洗剤タンク１２０の本体は、浴槽１００の框の下方に取り付けられ、浴槽本体とエプロン１２５、浴室壁との間に収められている。洗剤タンク１２０の蓋１２２は、浴槽１００の框の上方に突出している。たとえば、介護作業者は、蓋１２２を開けることによって、洗剤タンク１２０内に洗剤を注入することができる。
【００２９】
排水口１３０は、大口径であって下方開放された浴槽排水口である。排水口１３０は、制御機２００からの制御信号Ｓ１に従って自動的に開閉するように構成されている。自動開閉のための機構は、通水面積の減少を抑制するために、コンパクトに形成されている。排水口１３０が閉鎖された状態で、蛇口１１０から湯が供給されると浴槽１００内に湯が貯えられる。一方、浴槽１００内に湯が貯えられた状態で、排水口１３０が開放されると、浴槽１００内の湯が排水される。
【００３０】
洗い場１５０は、浴槽１００に隣接して設けられている。洗い場１５０は、たとえば、介護作業者が要介護者の体を洗うためのスペースである。
【００３１】
壁面１６０は、浴槽１００及び洗い場１５０の周囲を囲むように構成されている。壁面１６０の一部には、ドア１６８（図２）が設けられている。介護作業者及び要介護者は、ドア１６８を開いて、出入り口１６７から、浴室１０に入室したり、浴室１０から退室したりする。また、壁面１６０の一部には、手摺り１６６が設けられている。たとえば、要介護者は、手摺り１６６を伝って、出入り口１６７から浴槽１００に向かう。また、壁面１６０の上部には、照明１６５が設けられている。
【００３２】
ノズル１４０は、たとえば金属若しくは樹脂製であり、浴室１０の天井に設置されている。ノズル１４０は、制御機２００から供給される洗浄水を放射状に噴出（すなわち、散布）するように構成されている。ここで、「噴出」とは、液体を噴き出すことをいい、霧状及び粒状の液体を噴き出すことを含む。たとえば、ノズル１４０は、制御機２００から供給される洗剤水（洗剤タンク１２０に貯えられた洗剤を湯で薄めたもの）及び濯ぎ水を、浴槽１００、洗い場１５０及び壁面１６０に向かって噴出する。なお、洗浄水は、照明１６５よりも下側の位置に向けて散布される。
【００３３】
本実施の形態１においては、ノズル１４０から噴出される洗浄水によって、浴室１０全体の自動洗浄が行なわれる。たとえば、浴室１０の自動洗浄においては、ノズル１４０が浴槽１００、洗い場１５０及び壁面１６０に向かって洗剤水を放射状に噴出し、その後、ノズル１４０が浴槽１００、洗い場１５０及び壁面１６０に向かって濯ぎ水を放射状に噴出することによって、浴室１０内部の汚れが落とされる。したがって、本実施の形態１においては、たとえば、多数の入浴者が触れる手摺り１６６や水栓金具等が衛生的に保たれるため、手摺り１６６や水栓金具等を介した病気の感染リスクが低減される。
【００３４】
図２は、浴室１０を上方から見た図である。図２において、破線矢印は、洗浄水の軌道の一部を示す。図２に示されるように、ノズル１４０は、浴室１０の天井の中央部分に設置されている。ノズル１４０は、浴槽１００、洗い場１５０及び壁面１６０に向かって洗浄水を噴出する。なお、図２においては、ドア１６８が完全に閉まっていないが、洗浄水の噴出は、基本的にはドア１６８が閉まった状態で行なわれる。
【００３５】
再び図１を参照して、制御機２００は、各種ポンプ２１０と、受信部２３０と、制御機本体２４０とを含んでいる。制御機２００は、たとえば、浴室１０の天井裏に設置されている。
【００３６】
各種ポンプ２１０の説明をする前に、風呂システム１における配管のうち、図１において省略されている配管の一部について説明する。風呂システム１においては、たとえば、各種ポンプ２１０のいずれかと蛇口１１０とをつなぐ配管、各種ポンプ２１０のいずれかとノズル１４０とをつなぐ配管、及び、各種ポンプ２１０のいずれかと洗剤タンク１２０とをつなぐ配管が設けられている。
【００３７】
各種ポンプ２１０は、１又は複数のポンプを含み、たとえば、以下の機能を実現するように構成されている。各種ポンプ２１０は、たとえば、給湯器３００に接続された湯配管３０５から供給された湯と、水配管３１０から供給された水とを混ぜることによって温度が調整された湯を蛇口１１０に供給する機能を有する。なお、給湯器３００としては、公知の種々の給湯器を用いることが可能である。
【００３８】
また、各種ポンプ２１０は、洗剤タンク１２０から供給された洗剤と、湯配管３０５から供給された湯とを混ぜることによって生成された洗剤水をノズル１４０に供給する機能を有する。また、各種ポンプ２１０は、湯配管３０５から供給された湯を濯ぎ水としてノズル１４０に供給する機能を有する。たとえば、各種ポンプ２１０は、洗剤水及び濯ぎ水の各々を一定水圧でノズル１４０に供給するように構成されている。
【００３９】
受信部２３０は、リモコン４００と通信するように構成されている。受信部２３０は、たとえば、リモコン４００から赤外線を受信し、受信された信号を電気信号に変換して、受信結果を制御機本体２４０に送信する。たとえば、受信部２３０は、介護作業者がリモコン４００を介して浴室１０の自動洗浄やお湯はりの開始指示を行なった場合に、所定の信号を受信し、受信結果を制御機本体２４０に送信する。
【００４０】
制御機本体２４０は、図示しないＣＰＵ（Central Processing Unit）及び内部メモリを含み、内部メモリに記憶された情報や各センサ（不図示）からの信号等に基づいて各種ポンプ２１０及び排水口１３０等を制御するように構成されている。
【００４１】
（１−２．浴室の自動洗浄）
風呂システム１が設置される高齢者介護施設等の一部においては、衛生面を考慮して、入浴者が変わるたびに浴室１０の洗浄及び湯の入れ替えが行なわれる。入浴者が変わるたびに浴室１０の洗浄を行う場合に、浴室１０の洗浄に長時間を要すると、施設における多数の要介護者の入浴が困難になる。
【００４２】
たとえば、浴槽１００においては、内壁面のうち、人が入っていない状態の水位と人が入った状態の水位との間の領域が最も汚れやすい。該領域は、浴槽１００に貯まった湯の排水途中であっても外部に露出しているため、湯の排水途中であっても洗浄可能である。
【００４３】
本実施の形態１に従う浴室１０において、制御機２００は、浴室１０の自動洗浄を行なう場合に、排水口１３０を開放状態に制御した後に、浴槽１００内の湯がなくなる前に、ノズル１４０に洗浄水の散布を開始させるように構成されている。したがって、浴室１０によれば、たとえば、浴槽１００に貯まった湯の排水完了後に洗浄水の散布を開始する場合と比較して、浴室１０の自動洗浄を短時間で完了することができる。次に、浴室１０の自動洗浄の具体的な流れについて説明する。
【００４４】
（１−３．自動洗浄の流れ）
図３は、風呂システム１における自動洗浄の流れを示すフローチャートである。図３のフローチャートに示される処理は、浴槽１００に風呂蓋が置かれていない状態で、介護作業者がリモコン４００を介して浴室１０の自動洗浄・お湯はりの開始指示を行なうと開始される。
【００４５】
図３を参照して、介護作業者によって自動洗浄・お湯はりの開始指示が行なわれると、制御機２００は、開放状態となるように排水口１３０を制御する（ステップＳ１００）。
【００４６】
その後、制御機２００は、所定時間が経過したかを判定する（ステップＳ１１０）。所定時間は、予め定められた時間であり、予め定められた水位まで貯められた湯の排水が終了する時間よりも短い時間である。３分で浴槽１００内の湯の排水が完了する場合に、所定時間は、たとえば、３０秒〜２分とされる。所定時間を短くする程、浴室１０の自動洗浄に要する時間を短縮することができる。所定時間を長くする程、浴槽１００の内壁面のより広い範囲を確実に洗浄することができる。所定時間が経過するまで、制御機２００は待機する（ステップＳ１１０においてＮＯ）。
【００４７】
所定時間が経過したと判定されると（ステップＳ１１０においてＹＥＳ）、浴槽１００の内壁面のうち汚れが強い部分が十分に露出しているため、制御機２００は、ノズル１４０に洗浄水を供給し、浴室１０全体（浴槽１００、洗い場１５０及び壁面１６０）の洗浄を開始する（ステップＳ１２０）。たとえば、制御機２００は、洗剤水のノズル１４０への供給と、濯ぎ水のノズル１４０への供給とを複数回繰り返すことによって、浴室１０全体の洗浄を行なう。
【００４８】
浴室１０全体の洗浄が完了すると、制御機２００は、閉鎖状態となるように排水口１３０を制御する（ステップＳ１３０）。その後、制御機２００は、蛇口１１０に湯を供給することによって、浴槽１００への給水を開始する（ステップＳ１４０）。予め定められた水位までの給水が終了することによって、本フローチャートに示される処理は終了する。
【００４９】
このように、本実施の形態１においては、浴室１０の洗浄の他に、浴槽１００における排水及び給水が自動的に行われる。次に、風呂システム１が高齢者介護施設に導入された場合の効果について説明する。
【００５０】
（１−４．高齢者介護施設に導入した場合の効果）
図４は、高齢者介護施設における介護作業者の作業及び風呂システムの動作を示すタイムチャートである。図４を参照して、横軸は時間を示す。縦軸の上方は、風呂システム１が導入されていない施設における介護作業及び風呂システム（風呂システム１とは異なる風呂システム）の動作を示し、縦軸の下方は、風呂システム１が導入されている施設における介護作業及び風呂システム１の動作を示す。
【００５１】
図４の上方を参照して、風呂システム１が導入されていない高齢者介護施設においては、たとえば、入浴者が変わるたびの湯の入れ替え及び浴槽の洗浄が介護作業者によって手動で行なわれる。したがって、入浴が終わった要介護者の拭き取り、脱衣所への移動、着衣等の介護作業を一通り終えた後に、浴槽の洗浄及び浴槽の湯はりが介護作業者によって手動で行なわれる。また、この場合には、浴槽の洗浄が手動で行なわれるため、浴槽の洗浄は、浴槽の排水が終了した後に開始される。
【００５２】
一方、図４の下方を参照して、風呂システム１が導入されている高齢者介護施設においては、上述のように、介護作業者がリモコン４００を操作するだけで（ＳＷ（スイッチ）操作）、浴槽１００における湯の排水、洗浄及び湯はりが自動的に行なわれる。したがって、風呂システム１が導入されている施設においては、要介護者の入浴が終わった場合に、介護作業者が、要介護者の拭き取り等を行なう前に、リモコン４００の操作だけを行なえば、要介護者の拭き取り等と浴槽１００の自動洗浄等とを並列的に進めることができる。さらに、風呂システム１においては、浴槽１００の排水と浴室１０の自動洗浄とが並列的に進められる。
【００５３】
したがって、たとえば高齢者介護施設においては、風呂システム１を導入することによって、要介護者の拭き取り等と浴室１０の自動洗浄等とを並列的に進められるため、要介護者の入浴後、次の要介護者の入浴を開始するまでの時間を短縮することができる。さらに、風呂システム１においては、浴槽１００の排水と浴室１０の自動洗浄とが並列的に進められるため、要介護者の入浴後、次の要介護者の入浴を開始するまでの時間をさらに短縮することができる。
【００５４】
（１−５．特徴）
以上のように、本実施の形態１に従う浴室１０において、制御機２００は、浴室１０の自動洗浄を行なう場合に、排水口１３０を開放状態に制御した後に、浴槽１００内の湯がなくなる前に、ノズル１４０に洗浄水の散布を開始させるように構成されている。したがって、浴室１０によれば、たとえば、浴槽１００に貯まった湯の排水完了後に洗浄水の散布を開始する場合と比較して、浴室１０の自動洗浄を短時間で完了することができる。
【００５５】
なお、浴室１０は、本発明の「浴室」の一例であり、浴槽１００は、本発明の「浴槽」の一例であり、ノズル１４０は、本発明の「ノズル」の一例であり、排水口１３０は、本発明の「排水口」の一例であり、制御機２００は、本発明の「制御機」の一例である。ノズル１４０、排水口１３０及び制御機２００を含む構成は、本発明の「自動洗浄装置」の一例である。洗い場１５０は、本発明の「洗い場」の一例であり、壁面１６０は、本発明の「壁面」の一例である。
【００５６】
［２．実施の形態２］
上記実施の形態１に従う浴室１０においては、ノズル１４０が天井に１つ設置され、ノズル１４０が浴室１０全体に洗浄水を散布した。しかしながら、浴室に設置されるノズルの数等はこれに限定されない。本実施の形態２においては、浴室内に、浴槽及び壁面を洗浄するノズルと、洗い場及び壁面を洗浄するノズルとが設けられる。ここでは、実施の形態１と異なる点を中心に説明し、実施の形態１と同様の部分については説明を繰り返さない。
【００５７】
図５は、本実施の形態２に従う浴室１０Ａの内部を示す図である。図５に示されるように、浴室１０Ａは、ノズル１４０１，１４０２を含んでいる。ノズル１４０１は、浴室１０の天井であって、浴室１０の平面視において浴槽１００と重なる位置に設けられており、浴槽１００及び壁面１６０に向かって洗浄水を噴出するように構成されている。ノズル１４０２は、浴室１０の天井であって、浴室１０の平面視において洗い場１５０と重なる位置に設けられており、洗い場１５０及び壁面１６０に向かって洗浄水を噴出するように構成されている。ノズル１４０２によって噴出される洗浄水は、洗い場１５０側の壁面１６０に設けられた手摺や水栓にも散布される。
【００５８】
このように、各ノズルの洗浄範囲を狭くすることによって、浴室１０Ａにおける各部分（たとえば、浴槽１００及び洗い場１５０）を確実に洗浄することができる。たとえば、本実施の形態２に従う浴室１０Ａによれば、浴槽１００がノズル１４０１の射程に十分含まれるため、浴槽１００の洗浄を確実に行なうことができ、洗い場１５０がノズル１４０２の射程に十分含まれるため、洗い場１５０の洗浄を確実に行なうことができる。
【００５９】
なお、ノズル１４０１は、本発明の「第１ノズル」の一例であり、ノズル１４０２は、本発明の「第２ノズル」の一例である。
【００６０】
［３．変形例］
以上、実施の形態１，２について説明したが、本発明は、上記実施の形態１，２に限定されるものではなく、その趣旨を逸脱しない限りにおいて、種々の変更が可能である。以下、変形例について説明する。但し、以下の変形例は適宜組合せ可能である。
【００６１】
（３−１）
上記実施の形態１，２においては、ノズル１４０，１４０１，１４０２から洗剤水及び濯ぎ水が一定水圧で噴出された。すなわち、ノズル１４０，１４０１，１４０２から噴出される洗剤水及び濯ぎ水の軌道は同一であった。しかしながら、ノズル１４０，１４０１，１４０２から噴出される洗剤水及び濯ぎ水の軌道は同一である必要はない。たとえば、ノズル１４０，１４０１，１４０２は、洗剤水よりも濯ぎ水を高い水圧で噴出してもよい。これにより、濯ぎ水は、洗剤水よりもより広範囲に散布される。その結果、浴室１０，１０Ａに散布された洗剤水が濯ぎ水によってより確実に排水口に流される。
【００６２】
（３−２）
上記実施の形態１，２において、ノズル１４０，１４０１，１４０２は、洗浄水を散布することとした。しかしながら、ノズル１４０，１４０１，１４０２が散布する液体は洗浄水に限定されない。たとえば、ノズル１４０，１４０１，１４０２は、浴室１０，１０Ａの洗浄終了後に消毒液を浴室１０，１０Ａ内に散布してもよい。これにより、浴室１０，１０Ａの洗浄のみならず、浴室１０，１０Ａの消毒も行なうことができる。
【００６３】
（３−３）
上記実施の形態１，２においては、介護作業者がリモコン４００を操作することによって、浴室１０，１０Ａの自動洗浄が開始されることとした。しかしながら、自動洗浄開始のきっかけは、リモコン４００の操作に限定されない。たとえば、浴室１０，１０Ａに人感センサが設置され、人感センサによって介護作業者及び要介護者の浴室１０，１０Ａからの退室が検知された場合に、自動洗浄が開始されるようにしてもよい。これにより、介護作業者がリモコン４００の操作を忘れることによって、湯はりが行なわれないという事態を回避することができる。なお、人感センサとしては、公知の種々のセンサを用いることができ、たとえば、赤外線センサを用いることができる。
【００６４】
また、上記人感センサに加えて、浴室１０，１０Ａにおいては、ドア１６８（図２）の開閉を検知するドアセンサが設置されてもよい。この場合には、人感センサによって介護作業者及び要介護者の浴室１０，１０Ａからの退室が検知され、かつ、ドアセンサによってドア１６８が閉じていることが検知された場合に、自動洗浄が開始されるようにしてもよい。これにより、ドア１６８が開いた状態で、自動洗浄が行なわれるという事態を回避することができる。なお、ドアセンサとしては、公知の種々のセンサを用いることができ、たとえば、磁気型近接センサを用いることができる。
【００６５】
（３−４）
上記実施の形態１，２においては、制御機２００が浴室１０の天井裏に設置された。しかしながら、制御機２００の設置場所はこれに限定されない。たとえば、制御機２００は、浴室１０，１０Ａの内部に設置されてもよいし、浴室１０，１０Ａに隣接する脱衣所に設置されてもよい。
【００６６】
（３−５）
上記実施の形態１，２においては、洗剤タンク１２０は、浴槽に取り付けられた。しかしながら、洗剤タンク１２０の設置位置はこれに限定されない。たとえば、洗剤タンク１２０は、浴室１０，１０Ａに隣接する脱衣所に設置されてもよいし、制御機２００の内部に設けられてもよい。
【００６７】
（３−６）
上記実施の形態１，２においては、ノズル１４０，１４０１，１４０２は、浴室の天井に設けられた。しかしながら、各ノズルの設置場所は天井に限定されない。たとえば、各ノズルは、壁面１６０のうち、浴槽１００の框上面よりも高い位置に設けられてもよい。これによっても、浴槽１００内及び洗い場１５０を十分に洗浄することができる。
【００６８】
（３−７）
上記実施の形態１，２においては、ノズル１４０，１４０１，１４０２と制御機２００とは配管によって接続されることとしたが、各ノズルと制御機２００との接続は、必ずしも配管による必要はない。たとえば、各ノズルは制御機２００の下方に設けられ、浴室１０，１０Ａの天井裏に配置された制御機２００から各ノズルが浴室１０，１０Ａの天井側に貫通するようにしてもよい。
【００６９】
（３−８）
上記実施の形態１，２において、各ノズルは、主に浴槽１００、洗い場１５０及び壁面１６０に向けて洗浄水を散布するように構成された。しかしながら、各ノズルによる主要な洗浄対象は、必ずしも浴槽１００、洗い場１５０及び壁面１６０に限定されない。たとえば、各ノズルは、他にも手摺り１６６や、ドア１６８の把持部を主要な洗浄対象に加えることができる。この場合には、各ノズルから噴出する洗浄水が手摺り１６６やドア１６８の把持部に十分にかかるように、各ノズルの吐水口の位置、形状、大きさ等が調節されるとともに、各種ポンプ２１０のうち各ノズルに洗浄水を供給するポンプの水圧等が調節される。
【符号の説明】
【００７０】
１  風呂システム、１０，１０Ａ  浴室、１００  浴槽、１１０  蛇口、１２０  洗剤タンク、１２２  蓋、１３０  排水口、１４０，１４０１，１４０２  ノズル、１５０  洗い場、１６０  壁面、１６５  照明、１６６  手摺り、１６７  出入り口、１６８  ドア、２００  制御機、２１０  各種ポンプ、２３０  受信部、２４０  制御機本体、３００  給湯器、３０５  湯配管、３１０  水配管、４００  リモコン、Ｓ１  制御信号。
【図１】
2019041816.tif 000003
【図２】
2019041816.tif 000004
【図３】
2019041816.tif 000005
【図４】
2019041816.tif 000006
【図５】
2019041816.tif 000007